(57)【特許請求の範囲】
【請求項１】
開閉蓋動作されるとともにトレイを上部に載置可能な蓋本体と、
上記蓋本体に配設されて当該蓋本体の上部に載置される上記トレイを着脱可能に固定するトレイ固定構造とを具備し、
上記トレイは、上記蓋本体の閉蓋時に、当該蓋本体に対して進入又は退避するようにスライド移動可能であり、
上記トレイ固定構造は、上記蓋本体の開蓋動作により当該蓋本体が傾斜したときに、トレイ側に形成されたトレイ側固定構造と、蓋本体側に形成された蓋側固定構造とが引っ掛かることにより、上記トレイの下方へのスライド移動を停止させて当該トレイを固定することを特徴とするシンク併設収容槽用蓋。
【請求項２】
開閉蓋動作されるとともにトレイを上部に載置可能な蓋本体と、
上記蓋本体の配設されて当該蓋本体の上部に載置される上記トレイを着脱可能に固定するトレイ固定構造とを具備し、
上記トレイ固定構造は、上記蓋本体に載置されたトレイに形成された水抜き部を固定する水抜き部固定構造を有することを特徴とするシンク併設収容槽用蓋。
【請求項３】
開閉蓋動作されるとともにトレイを上部に載置可能な蓋本体と、
上記蓋本体の配設されて当該蓋本体の上部に載置される上記トレイを着脱可能に固定するトレイ固定構造とを具備し、
上記蓋本体は、シンク側に形成された所定のシンク側係合構造と係合することにより当該蓋本体の閉蓋状態をロックするロック構造を有するとともに、
上記トレイ固定構造は、上記蓋本体のロック構造の解除動作に連動して、上記トレイを当該蓋本体の上部に固定することを特徴とするシンク併設収容槽用蓋。
【請求項４】
開閉蓋動作されるとともにトレイを上部に載置可能な蓋本体と、
上記蓋本体の配設されて当該蓋本体の上部に載置される上記トレイを着脱可能に固定するトレイ固定構造とを具備し、
上記蓋本体は、上記蓋本体縁部の略中央に配設された取手を有し、
上記トレイには、上記蓋本体に載置された場合に上記取手と対面しない両縁部側に水抜き穴が形成されることを特徴とするシンク併設収容槽用蓋。
【発明の詳細な説明】
【０００１】
【発明の属する技術分野】
本発明は、シンク併設収容槽用蓋に関する。
【０００２】
【従来の技術】
シンクに収容槽が併設されたシステムキッチンでは、通常、この収容槽に食器洗浄機や食器乾燥機等の装備品が配置される。この食器洗浄機等の種別としては、引き出しタイプのものと上面蓋タイプのものがある。引き出しタイプの場合は、食器洗浄機等を利用するとき、システムキッチンの前面に配設されている引き出しを引き出し、食器類をシンク側から食器乾燥機等に収容することになるが、水等に濡れた食器類は、一旦システムキッチン外を通る収容経路をたどるため、水等が床面に零れてしまう。一方、上面蓋タイプの場合は、食器洗浄機等を利用するとき、シンク横の上面に配置された食器洗浄機等の蓋を開蓋し、シンクから直接システムキッチンの上面を経由して食器洗浄機等に食器類を収容できるため、水等が床面に零れてしまうことがないことから利便性が高く利用者に好まれる一面がある。
【０００３】
【発明が解決しようとする課題】
しかし、上述した上面蓋タイプのシステムキッチンの場合、シンクの横に食器洗浄機等の蓋が配置されることから食器類を載置することができるスペースが取れないという課題があった。
【０００４】
本発明は、上記課題にかんがみてなされたもので、システムキッチンのシンクに上面蓋タイプの収容槽が併設された場合においても、シンク横に食器類を載置することができるスペースを設けることが可能なシンク併設収容槽用蓋の提供を目的とする。
【０００５】
【課題を解決するための手段】
上記目的を達成するため、請求項１にかかる発明は、開閉蓋動作されるとともにトレイを上部に載置可能な蓋本体と、上記蓋本体に配設されて当該蓋本体の上部に載置される上記トレイを着脱可能に固定するトレイ固定構造とを具備し、上記トレイは、上記蓋本体の閉蓋時に、当該蓋本体に対して進入又は退避するようにスライド移動可能であり、上記トレイ固定構造は、上記蓋本体の開蓋動作により当該蓋本体が傾斜したときに、トレイ側に形成されたトレイ側固定構造と、蓋本体側に形成された蓋側固定構造とが引っ掛かることにより、上記トレイの下方へのスライド移動を停止させて当該トレイを固定する構成としてある。
上記のように構成した請求項１にかかる発明においては、シンク併設収容槽用蓋を蓋本体と、トレイ固定構造とにより構成する。このとき、蓋本体は開閉蓋動作可能に形成される。従って、トレイを蓋本体に載置すれば、このトレイを介して蓋上に食器類等を気兼ねなく置くことができるようになる。また、蓋本体に載置されたトレイに何も載せられていない場合に、蓋本体とトレイとを一体にして蓋本体の開閉蓋動作を行うことが可能となり、この開閉蓋動作時に、わざわざトレイを蓋本体から移動させる必要を無くすことが可能になる。ここで、シンク併設収容槽用蓋が適用される収容槽に収容される機器については食器洗浄機、食器乾燥機、食器洗い乾燥機等、特に限定されるものではない。
【０００６】
また、請求項２にかかる発明は、開閉蓋動作されるとともにトレイを上部に載置可能な蓋本体と、上記蓋本体の配設されて当該蓋本体の上部に載置される上記トレイを着脱可能に固定するトレイ固定構造とを具備し、上記トレイ固定構造は、上記蓋本体に載置されたトレイに形成された水抜き部を固定する水抜き部固定構造を有する構成としてある。
上記のように構成した請求項２にかかる発明において、シンク併設収容槽用蓋を蓋本体と、トレイ固定構造とにより構成する。また、トレイを固定するにあたり、当該トレイに形成されている水抜き部を利用する。
【０００７】
さらに、請求項３にかかる発明は、開閉蓋動作されるとともにトレイを上部に載置可能な蓋本体と、上記蓋本体の配設されて当該蓋本体の上部に載置される上記トレイを着脱可能に固定するトレイ固定構造とを具備し、上記蓋本体は、シンク側に形成された所定のシンク側係合構造と係合することにより当該蓋本体の閉蓋状態をロックするロック構造を有するとともに、上記トレイ固定構造は、上記蓋本体のロック構造の解除動作に連動して、上記トレイを当該蓋本体の上部に固定する構成としてある。
上記のように構成した請求項３にかかる発明においては、シンク併設収容槽用蓋を蓋本体と、トレイ固定構造とにより構成する。また、蓋本体の閉蓋状態をロックするロック構造を有するとともに、上記トレイ固定構造は、上記蓋本体のロックに連動してトレイを蓋本体の上部に固定する。これにより、蓋本体の閉蓋状態をロックした状態では同トレイは蓋本体上に固定されないため自在にスライド進退可能であり、蓋本体の閉蓋状態のロックを解除したときにトレイを当該蓋本体に固定することを可能にする。
【０００８】
さらに、請求項４にかかる発明は、開閉蓋動作されるとともにトレイを上部に載置可能な蓋本体と、上記蓋本体の配設されて当該蓋本体の上部に載置される上記トレイを着脱可能に固定するトレイ固定構造とを具備し、上記蓋本体は、上記蓋本体縁部の略中央に配設された取手を有し、上記トレイには、上記蓋本体に載置された場合に上記取手と対面しない両縁部側に水抜き穴が形成される構成としてある。
上記のように構成した請求項４にかかる発明においては、シンク併設収容槽用蓋を蓋本体と、トレイ固定構造とにより構成する。また、取手を蓋本体縁部の略中央に配設する。そして、トレイには、同トレイが蓋本体に載置された場合に、上記取手に対面しない両縁部側に水抜き穴を形成する。これにより、水抜き穴からの排水が取手にかかり難くすることができる。
【００１８】
【発明の効果】
以上説明したように本発明は、蓋本体にトレイを載置した場合にこのトレイ上に食器類を載置可能とするとともに、載置したトレイを蓋本体に固定することにより、無載積のトレイと蓋本体とを一体にして開蓋動作させることが可能なシンク併設収容槽用蓋を提供することができる。
また、請求項２にかかる発明によれば、トレイを固定する他の態様を提示することができる。
さらに、請求項３にかかる発明によれば、ロック構造の解除動作に連動してトレイを蓋本体に固定することが可能になる。
【００１９】
さらに、請求項４にかかる発明によれば、水抜き穴からの排水が取手にかかり難くすることができる。
【００２２】
【発明の実施の形態】
以下、図面にもとづいて本発明の実施形態を説明する。
図１は、本発明にかかるシンク併設収容槽用蓋の技術概念の一例を示した技術概念図である。同図においては、シンクＡ１に収容槽Ａ２が併設されていること示している。この収容槽Ａ２は上部に開口が形成されており、この開口には蓋本体Ａ３が配設される。そして、この蓋本体Ａ３の上部は、シンクＡ１側からトレイＡ４がスライド進退可能に形成されている。このとき、シンクＡ１からトレイＡ４がスライド進入して蓋本体Ａ３上部に載置されるとともに、この蓋本体Ａ３上部からスライド退避してシンクＡ１側に移動する。ここで、本発明では蓋本体Ａ３上部に載置されたトレイＡ４をトレイ固定構造Ａ５にて着脱可能に固定する。従って、トレイＡ４をトレイ固定構造Ａ５にて蓋本体Ａ３上部に固定すれば、トレイＡ４は当該蓋本体Ａ３の開蓋動作等によっても動いてしまうことがなくなる。また、トレイＡ４のトレイ固定構造Ａ５による蓋本体Ａ３への固定を解除すればトレイＡ４を蓋本体Ａ３から取り外すことが可能になる。
【００２３】
上述したように、本発明の技術思想の根幹は収容槽Ａ２の開口に配設される蓋本体Ａ３上部にトレイＡ４を着脱可能に固定することである。このとき、トレイＡ４を蓋本体Ａ３上部に完全に固定してしまうと、スライド進退時毎にこの固定を解除する必要がある。従って、トレイＡ４はシンクＡ１に対して自在にスライド進退できると良い。かかる点をかんがみて、図２に本発明にかかるシンク併設収容槽用蓋の技術概念の他の一例である技術概念図を示す。
同図においては、トレイＡ４は蓋本体Ａ３が開蓋動作によって傾斜したときに当該トレイＡ４が蓋本体Ａ３上部に固定されることを示している。従って、閉蓋時において、トレイＡ４はスライド進退を自在に行うことができる。かかる場合の固定は蓋本体Ａ３の傾斜によるトレイＡ４の下方への移動を利用して嵌合形状や係合形状によってトレイＡ４を支持して固定するようにすれば良い。
このように本発明におけるトレイ固定構造Ａ５によってトレイＡ４を蓋本体Ａ３に固定する態様は、蓋本体Ａ３上に固着する態様に限定されるものでなく、蓋本体Ａ３の開蓋動作のように、当該蓋本体Ａ３が傾いたときにずれ落ちない程度に固定する態様であっても良い。また、本発明にて蓋本体Ａ３を開蓋する態様は、横開きにて開蓋するものに限定されるものではなく、奥開きにて開蓋するものであっても良い。
【００２４】
図３は、本発明にかかるシンク併設収容槽用蓋を利用したシステムキッチンの外観斜視図である。また、図４は、上記システムキッチンの上面図を示すとともに、図５は、上記システムキッチンの正面図を示している。また、図６はシステムキッチンの断面図を示している。
図において、システムキッチン１０は概略シンク側１１と食器洗い乾燥機側１２との二つの構成を有している。シンク側１１の上部にはシンク１１ａが取り付けられており、食器洗い乾燥機側１２には食器洗い乾燥機１２ａが内蔵されている。この食器洗い乾燥機１２ａの上部には開口が形成されており、かかる開口には蓋本体１２ｂが配設されている。この蓋本体１２ｂは  ヒンジ１２ｂ１により食器洗い乾燥機側１２の上部あるいは食器洗い乾燥機１２ａの上部に接続されている。そして、当該蓋本体１２ｂのシンク１１ａ側端部にはスライド動作によりシンク１１ａと係合可能な取手１２ｂ２が配設されている。
【００２５】
従って、開蓋動作において、この取手１２ｂ２を持ち上げると、蓋本体１２ｂは、ヒンジ１２ｂ１を回転軸にしてシステムキッチン１０の外側に向かって開蓋動作が可能になっている。また、シンク１１ａにはその奥行き幅方向に略適合した長さを有する略長方形形状に形成されたトレイ１３が当該シンク１１ａの幅方向に渡って配置されている。このトレイ１３はシンク１１ａの内周面に形成された誘導路を通過してシンク１１ａの幅方向にスライド移動可能になっている。そして、この誘導路は蓋本体１２ｂの上面とトレイ１３の下面とが略面一になるように形成されているとともに、シンク側１１と食器洗い乾燥機側１２との接続部位は、蓋本体１２ｂ方向にスライド移動されたトレイ１３がこのスライド移動に連続して蓋本体１２ｂの上部に進入可能に形成されている。
【００２６】
図７は、トレイ１３の外観斜視図を示している。
同図において、トレイ１３は上述した通り、奥行き幅がシンク１１ａの略奥行き幅長さを有する略長方形形状に形成され、その板状基部１３ｂはステンレスにて形成されている。そして、当該板状基部１３ｂの縁部には上方に略凸形状を有する樹脂縁部１３ａが配設されている。また、板状基部１３ｂには食器類を載置した場合に水切り作用を実現するための凸形状１３ｂ１が複数形成されている。また、板状基部１３ｂにはトレイ用水抜き穴１３ｂ２が形成されている。ここで、トレイ１３は上述したような樹脂とステンレスとが一体成形されたものに限定されるものではなく、図８に示すように、板状基部１３ｂを樹脂板として成形したものであっても良い。本実施形態においてはこの樹脂板を使用したものを採用する。
また、樹脂縁部１３ａは開口が外側に向けられた断面略コの字形状に形成されるとともに、略コの字の上部１３ａ１０は下部１３ａ１１より長く形成されている。この上部１３ａ１０は取手を構成し、利用者はこの上部１３ａ１０を把持してトレイ１３の持ち運びが可能になっている。
【００２７】
図９は、シンク１１ａからスライド進入移動したトレイ１３が蓋本体１２ｂ上部に載置されている状態を示した概略外観図である。同図においては、トレイ１３がシンク１１ａ側からスライド進入移動し、蓋本体１２ｂ上部の略中央に載置された状態を示している。そして、図１０は、蓋本体１２ｂにトレイ１３が載置されている状態で当該蓋本体１２ｂの開蓋動作が実施された場合を示した図である。同図において、蓋本体１２ｂは、上述したように閉蓋状態で食器洗い乾燥機１２ａ上部の開口を閉塞するとともに、その上部にはスライド進入移動してきたトレイ１３が載置される。そして、このようにトレイ１３を上部に載置した状態で蓋本体１２ｂを開蓋すると、蓋本体１２ｂはヒンジ１２ｂ１を回転軸にして開蓋動作する。
【００２８】
このとき、蓋本体１２ｂの傾斜によって、トレイ１３は蓋本体１２ｂの上部を下方に向けて落下しようとするが、トレイ１３を蓋本体１２ｂの上面に固定することが可能であると、蓋本体１２ｂの開蓋するときトレイ１３をシンク１１ａ側にスライド移動させることなくトレイ１３を蓋本体１２ｂの上面に載置した状態で開蓋動作することができる。本実施形態は、トレイ１３を蓋本体１２ｂに載置した状態で開蓋可能とする構成、すなわち、開蓋動作にてトレイ１３が蓋本体１２ｂから落下することを防止するトレイ固定構造を開示するものである。
【００２９】
図１１は本実施形態に適用する蓋本体１２ｂの上面図を示すとともに、図１２はトレイ１３が同蓋本体１２ｂの上部に載置された状態の断面図である。
図においては、蓋本体１２ｂのシンク側１１の略縁部には、取手１２ｂ２に対して下がる異なる傾斜角度を有する傾斜面１２ｂ５および傾斜面１２ｂ６が形成されている。本実施形態においては、傾斜面１２ｂ６が傾斜面１２ｂ５より若干急傾斜に形成されている。また、この傾斜面１２ｂ５はトレイ１３が載置された場合にトレイ用水抜穴１３ｂ２に相対向する位置に形成されており、トレイ水抜穴１３ｂ２からの排水は傾斜面１２ｂ５→傾斜面１２ｂ６の傾斜によってトレイ１３のシンク側１３略縁部方向に流れ、シンク１１ａに流れ込むようになっている。また、この傾斜面に取手を取り付けて、取手の高さを蓋上面よりも低くすることにより、トレイのスライド移動をよりスムーズにすることができる。
【００３０】
図１３は、トレイ１３を蓋本体１２ｂに固定可能なトレイ固定構造の第一実施形態を示した外観斜視図であるとともに、図１４は、このトレイ固定構造の断面図である。図においては、トレイ固定構造を蓋本体１２ｂの上部から上方に立設された立設部２０ａと、この立設部２０ａの上端からトレイ１３の樹脂縁部１３ａの上方に張り出された天井部２０ｂとを有する係合レール２０にて形成する。これにより、トレイ１３は、略長方形形状に形成される当該トレイ１３の一辺の樹脂縁部１３ａを、この係合レールに収容することによって蓋本体１２ｂの上部に固定されることになる。このとき、立設部２０ａの上端に配置される天井部２０ｂの蓋本体１２ｂからの高さは樹脂縁部１３ａの高さに合わせて設定しても良いし、この樹脂縁部１３ａの高さより若干低く設定することにより、係合レール２０内に樹脂縁部１３ａを押し込んで収容させるようにしても良い。また、この係合レール２０は蓋本体１２ｂ上であってトレイ１３が当該蓋本体１２ｂに載置可能な範囲であればその配設位置は特に限定されるものでなく適宜変更可能である。上述した係合レール２０が本発明にかかる係合部を構成する。
【００３１】
図１５は、上述した第一実施形態のトレイ固定構造である係合レール２０の好適な配設例を示した係合レール配設図である。
同図においては、係合レール２０を蓋本体１２ｂのスライド移動端部２１ｂに配設する。このスライド移動端部２１ｂは蓋本体１２ｂに対してトレイ１３がスライド進入移動してきたときに停止させる位置である。かかる場合、図１６に示すようにトレイ１３の蓋本体１２ｂへスライド進入移動する際の、進入方向の先端縁部の中央部分に他の部位よりも突き出た突出縁部１３ｃを形成する。そして、スライド移動して蓋本体１２ｂに進入してきたトレイ１３が蓋本体１２ｂ上部をスライド進入方向に移動していくと、そのスライド進入方向の前端である突出縁部１３ｃに配設される樹脂縁部１３ａは係合レール２０内に収容される。
【００３２】
これにより、トレイ１３は係合レール２０によって蓋本体１２ｂに固定されることになる。すなわち、トレイ１３をスライド進入移動させていくと、進入方向前端の突出縁部１３ｃが自然に係合レール２０に入り込む。これによってトレイ１３を蓋本体１２ｂに固定することが可能になる。このとき、トレイ１３の進入方向中央部分の突出縁部１３ｃを係合レール２０にて固定するので、食器洗い乾燥機１２ａがシンク１１ａの左右いずれにある場合でもトレイ１３の形状や蓋本体１２ｂの形状を変更する必要がないため好適である。
【００３３】
ここで、本発明にかかるトレイ固定構造は上述した樹脂縁部１３ａを収容可能な係合レール２０に限定されるものではなく、図１７〜図１９に示すように、トレイ１３側と蓋本体１２ｂ側とを相互に係合させることにより固定するものであっても良い。図においては、蓋本体１２ｂのスライド移動端部２１ｂに凸部がトレイ１３のスライド進入方向に向かって配置された断面凸形状の蓋本体側係合部２００を形成する。そして、スライド移動して蓋本体１２ｂに進入してきたトレイ１３が蓋本体１２ｂ上部をスライド進入方向に移動していくと、そのスライド進入方向の前端である突出縁部１３ｃの樹脂縁部１３ａに形成された上述した略断面コの字形状の上部１３ａ１０と下部１３ａ１１とが蓋本体側係合部２００と相互に係合する。これにより、トレイ１３は蓋本体１２ｂに固定されることになる。
【００３４】
図２０は、トレイ１３を蓋本体１２ｂに固定可能なトレイ固定構造の第二実施形態を示した構成図である
同図においては、トレイ１３側にトレイ側固定構造４０を配設し、蓋本体１２ｂ側に蓋側固定構造５０を配設して、このトレイ側固定構造４０と蓋側固定構造５０とを相互に作用させてトレイ１３を蓋本体１２ｂに固定する態様を示している。上述したトレイ側固定構造４０は、トレイ１３のスライド移動方向の後端部に配設されており、トレイ１３の下方に向かって立設される立設部４０ａと、この立設部４０ａの上端からスライド移動方向に向かって延設される天井部４０ｂとから形成されている。すなわち、トレイ１３の下面と立設部４０ａと天井部４０ｂにて断面が凹形状に形成されている。一方、上述した蓋側固定構造５０は、蓋本体１２ｂのスライド移動方向の後端部に上述した凹形状に形成されたトレイ側固定構造４０に嵌合可能な断面凸形状に形成されている。
【００３５】
このトレイ側固定構造４０が形成されたトレイ１３を蓋側固定構造５０が形成された蓋本体１２ｂに向かってスライド移動させると、図２１に示すように、立設部４０ａと天井部４０ｂとにより形成されたトレイ側固定構造４０の断面凹形状に蓋側固定構造５０の断面凸形状が嵌合することによってスライド移動が停止し、トレイ１３が蓋本体１２ｂに固定される。すなわち、蓋本体１２ｂを開蓋動作することによって、上述したスライド移動方向の後端部が上昇して当該蓋本体１２ｂが傾斜したとしても、天井部４０ｂが蓋側固定構造５０に引っ掛かり、トレイ１３が蓋本体１２ｂから外れることを防止する。
【００３６】
図２２は、上述したトレイ側固定構造４０が配設されるトレイ１３を裏から観た場合の外観斜視図である。同図においては、トレイ側固定構造４０をスライド移動方向の後端部の一辺にわたって形成している態様を示している。むろん、トレイ側固定構造４０の態様は、上述したものに限定されるものではなく、立設部の長さは任意に設定されるものであり、また、図２３に示すように、スライド移動方向の後端部の一辺の一部分に立設部４０ａの長さが短いトレイ側固定構造４０を複数形成しても良い。かかる場合、蓋側固定構造５０を長さが短い立設部４０ａを有するトレイ側固定構造４０に適合させて形成すれば、蓋側固定構造５０の構成を簡素化することが可能となり好適である。
【００３７】
図２４は、上記第二実施形態の変形例を示した構成図である
同図においては、トレイ側固定構造４０をトレイ１３のスライド移動方向の後端部であって、スライド移動方向に向かって突起形状を有する断面凸形状に形成する。一方、蓋側固定構造５０を蓋本体１２ｂのスライド移動方向の後端部に上述したトレイ側固定構造４０の突起形状に嵌合可能な断面凹形状に形成する。このようなトレイ側固定構造４０が形成されたトレイ１３を蓋側固定構造５０が形成された蓋本体１２ｂに向かってスライド移動させると、図２５に示すように、トレイ側固定構造４０の突起形状に蓋側固定構造５０の断面凹形状が嵌合することによってスライド移動が停止し、トレイ１３が蓋本体１２ｂに固定される。すなわち、蓋本体１２ｂを開蓋動作することによって、上述したスライド移動方向の後端部が上昇して当該蓋本体１２ｂが傾斜したとしても、突起形状のトレイ側固定構造４０が蓋側固定構造５０の凹形状に引っ掛かり、トレイ１３が蓋本体１２ｂから外れることを防止する。
【００３８】
このように、蓋本体１２ｂとトレイ１３とに相互に形成されている凹凸形状を係合させることによってトレイ１３を蓋本体１２ｂに固定可能な変形例の構成を図２６，図２７に示す。図においては、トレイ用水抜き穴１３ｂ２のスライド進入方向側面に断面略凹形状の凹形状構造１３ｂ３を形成する。そして、蓋本体１２ｂの上面であって、この凹形状構造１３ｂ３に相対向する位置に、凸形状をシンク側１１に向け、上記凹形状構造１３ｂ３と係合する凸形状構造１２１を形成する。かかる構成において、トレイ１３を蓋本体１２ｂにスライド進入移動させると、凹形状構造１３ｂ３が凸形状構造１２１に係合し、トレイ１３は蓋本体１２ｂ上に固定されることになる。
【００３９】
図２８は上記第二実施形態の他の変形例を示した構成図である。
同図においては、蓋本体１２ｂの傾斜面１２ｂ５上に、同傾斜面１２ｂ５に立設し、上端部に凸部をトレイ１３のスライド進入方向に向けた傾斜面係合構造１２ｂ５１を配設する。そして、上述したトレイ側固定構造４０が形成されたトレイ１３を上記傾斜面係合構造１２ｂ５１が形成された蓋本体１２ｂに向かってスライド移動させると、トレイ側固定構造４０の立設部４０ａと天井部４０ｂとにより形成される凹形状に上記傾斜面係合構造１２ｂ５の凸部が嵌合することによってスライド移動が停止し、トレイ１３が蓋本体１２ｂに固定される。
【００４０】
図２９は、トレイ１３を蓋本体１２ｂに固定可能なトレイ固定構造の第三実施形態を示した構成図である
同図においては、本第三実施形態のトレイ固定構造を構成する蓋本体１２ｂの外観斜視を示している。この蓋本体１２ｂには上述してきたヒンジ１２ｂ１，取手１２ｂ２と、開閉蓋係合部位１２ｂ４とを備えている。かかる構成において、蓋本体１２ｂが閉蓋された状態を蓋本体１２ｂをシンク１１ａ側から観た図を図３０に示す。図において、本実施形態における取手１２ｂ２は蓋本体１２ｂを食器洗い乾燥機１２ａに対して着脱する際に、所定範囲において蓋本体１２ｂの縁部をスライド移動可能に形成されている。
【００４１】
そして、食器洗い乾燥機１２ａの開口縁部における取手１２ｂ２と相対向する部位には、当該食器洗い乾燥機１２ａの上面より下がった凹部構造１２ａ１０が形成されている。そして、この凹部構造１２ａ１０の底面には上述した開閉蓋係合部位１２ｂ４と相互に係合可能な係合構造１２ｃが配設されている。かかる構成において、取手１２ｂ２を図右側にスライド移動させると、開閉蓋係合部位１２ｂ４と係合構造１２ｃとが引っ掛かり、これによって、蓋本体１２ｂの閉蓋状態がロックされる。また、取手１２ｂ２を図左側にスライド移動させると、開閉蓋係合部位１２ｂ４と係合構造１２ｃとの係合が解除されて蓋本体１２ｂを開蓋可能となる。
【００４２】
本実施形態はこの取手１２ｂ２を左右にスライド移動させて行う蓋本体１２ｂの閉蓋状態のロックの解除動作に連動してトレイ１３を蓋本体１２ｂの上部に固定可能な構造の一例を説明する。図３１は、取手１２ｂ２についての拡大上面図である。同図においては、蓋本体１２ｂの取手１２ｂ２と重なる内部に突出部位収容部１２ｂ７を配設する。そして、突出部位収容部１２ｂ７の上面に所定の開口１２ｂ７１を形成するとともに、取手１２ｂ２の上面に開口１２ｂ２ａを形成する。この開口１２ｂ７１と開口１２ｂ２ａとは、取手１２ｂを図左側方向へ移動させたときに、重なり合うように形成され、この開口１２ｂ７１と開口１２ｂ２ａとによって取手１２ｂの上面から突出部位収容部１２ｂ７内部へ貫通可能になっている。
【００４３】
ここで、この突出部位収容部１２ｂ７の構成を図３２の構成図に示す。
同図において、突出部位収容部１２ｂ７は、突出係合片１２ｂ９と、付勢バネ１２ｂ１１とを備えている。また、突出係合片１２ｂ９は回転軸１２ｂ１０にて回転動作可能となっている。付勢バネ１２ｂ１１は突出係合片１２ｂ９の係合部材１２ｂ９１側を上方に向かって付勢している。この係合部材１２ｂ９１は取手１２ｂ２が図右側方向へ移動している場合には、取手１２ｂの上面部によって押さえ込まれて突出部位収容部１２ｂ７内に収容される。また、取手１２ｂ２が図左側方向へ移動している場合であって、開口１２ｂ７１と開口１２ｂ２ａが貫通している場合には、係合部材１２ｂ９１は、図３３に示すように突出部位収容部１２ｂ７の外部に突出するようになっている。
【００４４】
次に、本第三実施形態のトレイ固定構造を構成するトレイ１３の外観斜視図を図３４に示す。同図において、トレイ１３は、上述してきたのと同様にステンレス板部１３ｂと、樹脂縁部１３ａとを備えるとともに、係合部材１２ｂ９１と係合する係合穴１３ｅが形成されている。
【００４５】
かかる構成において、取手１２ｂ２を図左側方向に移動させることにより蓋本体１２ｂのロックの解除動作を行うと、上述したとおり、係合部材１２ｂ９１が突出部位収容部１２ｂ７から外部に突出する。このとき、図３５に示すように係合部材１２ｂ９１と係合穴１３ｅとが係合することによって、トレイ１３と蓋本体１２ｂとが固定される。
このように、取手１２ｂ２の動作に連動してトレイ１３を当該蓋本体１２ｂに固定する他の態様を図３６に示す。
同図においては、かかる態様における蓋本体１２ｂの外観斜視を示している。この蓋本体１２ｂには上述してきたヒンジ１２ｂ１，取手１２ｂ２とともに、第一引掛構造１２ｂ２０と、第二引掛構造１２ｂ２１とが配設されている。また、この取手１２ｂ２は、蓋本体１２ｂ閉蓋状態のロックおよびその解除の際に、所定範囲において蓋本体１２ｂの縁部をスライド移動可能に形成されている。
次に、閉蓋状態の蓋本体１２ｂをシンク１１ａ側から観た図を図３７に示す。同図において、食器洗い乾燥機１２ａの開口縁部における取手１２ｂ２と相対向する部位には、当該食器洗い乾燥機１２ａの上面より下がった凹部構造１２ａ１が形成されている。そして、この凹部構造１２ａ１の底面には上述した第一引掛構造１２ｂ２０と相互に引っ掛かり可能な第三引掛構造１２ａ２が配設されている。かかる構成において、取手１２ｂ２を図右側にスライド移動させると、第一引掛構造１２ｂ２０と第三引掛構造１２ａ２とが引っ掛かり、これによって、蓋本体１２ｂの閉蓋状態がロックされる。また、取手１２ｂ２を図左側にスライド移動させると、第一引掛構造１２ｂ２０と第三引掛構造１２ａ２との引っ掛かりが解除されて蓋本体１２ｂを開蓋可能となる。このとき、第二引掛構造１２ｂ２１は取手１２ｂ２のスライド移動に伴って左右に移動する。
【００４６】
図３８は、上述した構成の蓋本体１２ｂに固定可能なトレイ１３の外観斜視図である。同図においては、樹脂縁部１３ａのうち、スライド移動方向と反対側にてシンク１１ａ側に突出して形成されている部位の樹脂縁部１３ａを突出部位樹脂縁部１３ａ１としている。次に、この突出部位樹脂縁部１３ａ１の断面を図３９，図４０に示す。ここで、図３９はスライド移動方向に水平な方向に対する断面を示しているとともに、図４０はスライド移動方向に垂直な方向に対する断面を示している。図において、突出部位樹脂縁部１３ａ１には蓋本体１２ｂと相対向する下辺部位の内周面側に開口を有する空間１３ａ２が形成される。そして、この空間１３ａ２に上述した第二引掛構造１２ｂ２１と相互に引っ掛かり可能な第四引掛構造１３ａ３が形成される。かかる構成において、蓋本体１２ｂの閉蓋状態のロックを解除するために、取手１２ｂ２を図左側へスライド移動させると、図４１に示すとおり、第二引掛構造１２ｂ２１が第四引掛構造１３ａ３に引っ掛かり、これによって、トレイ１３は蓋本体１２ｂに固定されることになる。
【００４７】
上述してきたように、本実施形態においてはトレイ１３と蓋本体１２ｂとを固定する手法として第一実施形態〜第三実施形態について、その態様を個別に説明してきた。これらの第一実施形態〜第三実施形態の手法を個々に採用することにより、トレイ１３と蓋本体１２ｂとを固定することが可能であることは言うまでもないが、トレイ１３と蓋本体１２ｂとを固定するに際しては、これらの第一〜第三実施形態の中からいずれか一つを採用しなければならない分けではなく、適宜第一実施形態〜第三実施形態を組み合わせることによってトレイ１３と蓋本体１２ｂとを固定するようにしても良い。
【００４８】
なお、本発明を構成する蓋本体やトレイ固定構造は上述してきた第一〜第三実施形態に限定されるものではなく、本発明の趣旨に基づいて種々の変形が可能であり、それらの変形を本発明の範囲から排除するものではない。
【００４９】
このように、本発明によってトレイ１３を蓋本体１２ｂに載置することが可能になるとともに、蓋本体１２ｂの上部に係合レール２０等を配設したり、トレイ１３のスライド移動方向の後端部にトレイ側固定構造４０および蓋本体１２ｂのスライド移動方向の後端部に蓋側固定構造５０を配設することによって、トレイ１３を蓋本体１２ｂ上部に固定することが可能になる。また、係合レール２０やトレイ側固定構造４０，蓋側固定構造５０を利用することによって、トレイ１３をシンク１１ａに対してスライド移動可能に固定することができ、利便性を向上させることが可能になる。
【図面の簡単な説明】
【図１】本発明にかかるシンク併設収容槽用蓋の技術概念の一例を示した技術概念図である。
【図２】本発明にかかるシンク併設収容槽用蓋の技術概念の他の一例を示した技術概念図である。
【図３】本発明にかかるシンク併設収容槽用蓋を利用したシステムキッチンの外観斜視図である。
【図４】システムキッチンの上面図である。
【図５】システムキッチンの正面図である。
【図６】システムキッチンの断面図である。
【図７】トレイの外観斜視図である。
【図８】トレイの断面図である。
【図９】トレイが蓋本体上部に載置されている状態の概略外観図である。
【図１０】蓋本体にトレイが載置されている状態で当該蓋本体の開蓋動作が実施された場合を示した図である。
【図１１】蓋本体の上面図である。
【図１２】トレイが蓋本体の上部に載置された状態の断面図である。
【図１３】トレイを蓋本体に固定可能なトレイ固定構造の第一実施形態を示した図である。
【図１４】トレイ固定構造の断面図である。
【図１５】係合レールの配設例を示した係合レール配設図である。
【図１６】トレイが係合レールに嵌合される態様を示した図である。
【図１７】第一実施形態におけるトレイ固定構造の変形例を示した図である。
【図１８】かかる変形例にて使用するトレイの断面図である。
【図１９】トレイが係合部に嵌合される態様を示した図である。
【図２０】トレイを蓋本体に固定可能なトレイ固定構造の第二実施形態を示した図である。
【図２１】トレイ固定構造の嵌合態様を示した図である。
【図２２】トレイ側固定構造の構成の一例を示した図である。
【図２３】トレイ側固定構造の他の一例を示した図である。
【図２４】第二実施形態の変形例を示した図である。
【図２５】トレイ固定構造での嵌合態様を示した図である。
【図２６】第二実施形態の他の変形例を示した図である。
【図２７】かかる変形例に使用する蓋本体の外観斜視図である。
【図２８】第二実施形態の他の変形例を示した構成図である。
【図２９】トレイを蓋本体に固定可能なトレイ固定構造の第三実施形態を示した図である。
【図３０】蓋本体を食器洗い乾燥機に固定した状態を示した図。
【図３１】取手の拡大図である。
【図３２】突出部位収容部の構成図である。
【図３３】突出部位収容部の構成図である。
【図３４】トレイの外観斜視図である。
【図３５】トレイと蓋本体との係合状態を示した図である。
【図３６】第三実施形態の変形例に使用するトレイの外観斜視図である。
【図３７】蓋本体を食器洗い乾燥機に固定した状態を示した図。
【図３８】トレイの外観斜視図である。
【図３９】突出樹脂縁部の断面図である。
【図４０】突出樹脂縁部の断面図である。
【図４１】トレイと蓋本体との引っ掛かり状態を示した図である。
【符号の説明】
１０…システムキッチン
１１…シンク側
１１ａ…シンク
１２…食器洗い乾燥機側
１２ａ…食器洗い乾燥機
１２ａ１…凹部構造
１２ａ２…第三引掛構造
１２ｂ…蓋本体
１２ｂ１…ヒンジ
１２ｂ１０…回転軸
１２ｂ１１…付勢バネ
１２ｂ２…取手
１２ｂ２ａ…開口
１２ｂ３…開蓋ボタン
１２ｂ４…開閉蓋係合部位
１２ｂ６…取手穴
１２ｂ７…突出部位収容部
１２ｂ７１…開口
１２ｂ８…カバー
１２ｂ９…突出係合片
１２ｂ９１…係合部材
１２ｂ２０…第一引掛構造
１２ｂ２１…第二引掛構造
１２ｃ…係合構造
１２１…凸形状構造
１３…トレイ
１３ａ…樹脂縁部
１３ａ１…突出部位樹脂縁部
１３ａ２…空間
１３ａ３…第四引掛構造
１３ｂ…ステンレス板部
１３ｂ１…凸形状
１３ｂ２…トレイ用水抜き穴
１３ｂ３…凹形状構造
１３ｃ…突出縁部
１３ｅ…係合穴
２０…係合レール
２０ａ…立設部
２０ｂ…天井部
２１ｂ…スライド移動端部
４０…トレイ側固定構造
４０ａ…立設部
４０ｂ…天井部
５０…蓋側固定構造
Ａ１…シンク
Ａ２…収容槽
Ａ３…蓋本体
Ａ４…トレイ
Ａ５…トレイ固定構造
【図１】
0003652256.tif 000002
【図２】
0003652256.tif 000003
【図３】
0003652256.tif 000004
【図４】
0003652256.tif 000005
【図５】
0003652256.tif 000006
【図６】
0003652256.tif 000007
【図７】
0003652256.tif 000008
【図８】
0003652256.tif 000009
【図９】
0003652256.tif 000010
【図１０】
0003652256.tif 000011
【図１１】
0003652256.tif 000012
【図１２】
0003652256.tif 000013
【図１３】
0003652256.tif 000014
【図１４】
0003652256.tif 000015
【図１５】
0003652256.tif 000016
【図１６】
0003652256.tif 000017
【図１７】
0003652256.tif 000018
【図１８】
0003652256.tif 000019
【図１９】
0003652256.tif 000020
【図２０】
0003652256.tif 000021
【図２１】
0003652256.tif 000022
【図２２】
0003652256.tif 000023
【図２３】
0003652256.tif 000024
【図２４】
0003652256.tif 000025
【図２５】
0003652256.tif 000026
【図２６】
0003652256.tif 000027
【図２７】
0003652256.tif 000028
【図２８】
0003652256.tif 000029
【図２９】
0003652256.tif 000030
【図３０】
0003652256.tif 000031
【図３１】
0003652256.tif 000032
【図３２】
0003652256.tif 000033
【図３３】
0003652256.tif 000034
【図３４】
0003652256.tif 000035
【図３５】
0003652256.tif 000036
【図３６】
0003652256.tif 000037
【図３７】
0003652256.tif 000038
【図３８】
0003652256.tif 000039
【図３９】
0003652256.tif 000040
【図４０】
0003652256.tif 000041
【図４１】
0003652256.tif 000042